(57)【特許請求の範囲】
【請求項１】
複数のユーザの端末装置から複数の商品を商品群として購入を受け付けるための商品群情報共有装置であって、
第１のユーザの端末装置から操作入力を受けて、
前記第１のユーザの端末装置から選択された複数の商品情報を第１のユーザの商品群情報として記憶する第１記憶部と、
前記第１のユーザの商品群情報を複数のユーザの端末装置からＵＲＬを介してウェブ上で閲覧するためのＵＲＬ生成部と、
ネットワークを介して前記ＵＲＬを複数のユーザの端末装置と共有するＵＲＬ共有部と、
第２のユーザの端末装置から操作入力を受けて、
前記ＵＲＬを介して前記第２のユーザの端末装置に前記第１のユーザの商品群情報を表示する商品群情報表示制御部と、
前記第１のユーザの商品群情報を構成する前記複数の商品情報の各々を選択せずそのまま、かつ一括購入のための合計予定額を含む第２のユーザの商品群情報として記憶する第２記憶部と、
前記第２のユーザの商品群情報を前記第２のユーザの端末装置に購入可能な状態に表示する購入表示制御部と
を備えることを特徴とする商品群情報共有装置。
【請求項２】
前記ＵＲＬ生成部が、前記第２のユーザの商品群情報を複数のユーザの端末装置からウェブ上で閲覧するためのＵＲＬを生成し、
前記ＵＲＬ共有部が、ソーシャルネットワークサービスのタイムライン及び電子メールの少なくともいずれかを介して前記ＵＲＬを複数のユーザの端末装置と共有する
ことを特徴とする請求項１に記載の商品群情報共有装置。
【請求項３】
前記第２のユーザの商品群情報を前記第２のユーザの端末装置に改良可能な状態に表示する改良表示制御部と、
前記第２のユーザの商品群情報から購入不可能な商品の商品情報を更新して表示する商品情報表示制御部をさらに備えている
ことを特徴とする請求項１又は２に記載の商品群情報共有装置。
【請求項４】
コンピュータによって実行され、複数のユーザの端末装置から複数の商品を商品群として購入を受け付けるための商品群情報共有方法であって、
第１のユーザの端末装置から操作入力を受けて、
第１記憶部が、前記第１のユーザの端末装置から選択された複数の商品情報を第１のユーザの商品群情報として記憶し、
ＵＲＬ生成部が、前記第１のユーザの商品群情報を複数のユーザの端末装置からウェブ上で閲覧するためのＵＲＬを生成し、
ＵＲＬ共有部が、ネットワークを介して前記ＵＲＬを複数のユーザの端末装置と共有し、
第２のユーザの端末装置から操作入力を受けて、
商品群情報表示制御部が、前記ＵＲＬを介して前記第２のユーザの端末装置に前記第１のユーザの商品群情報を表示し、
第２記憶部が、前記第１のユーザの商品群情報を構成する前記複数の商品情報の各々を選択せずそのまま、かつ一括購入のための合計予定額を含む前記第２のユーザの商品群情報として記憶し、
購入表示制御部が、前記第２のユーザの商品群情報を前記第２のユーザの端末装置に購入可能な状態に表示する
ことを特徴とする商品群情報共有方法。
【請求項５】
複数のユーザの端末装置から複数の商品を商品群として購入を受け付けるための商品群情報共有プログラムであって、
第１のユーザの端末装置から操作入力を受けて、
前記第１のユーザの端末装置から選択された複数の商品情報を第１のユーザの商品群情報として記憶する第１記憶処理と、
前記第１のユーザの商品群情報を複数のユーザの端末装置からＵＲＬを介してウェブ上で閲覧するためのＵＲＬ生成処理と、
ネットワークを介して前記ＵＲＬを複数のユーザの端末装置と共有するＵＲＬ共有処理と、
第２のユーザの端末装置から操作入力を受けて、
前記ＵＲＬを介して前記第２のユーザの端末装置に前記第１のユーザの商品群情報を表示する商品群情報表示処理と、
前記第１のユーザの商品群情報を構成する前記複数の商品情報の各々を選択せずそのまま、かつ一括購入のための合計予定額を含む前記第２のユーザの商品群情報として記憶する第２記憶処理と、
前記第２のユーザの商品群情報を前記第２のユーザの端末装置に購入可能な状態に表示する購入表示処理と
をコンピュータに実行させるための商品群情報共有プログラム。
【請求項６】
複数のユーザの端末装置から複数の商品を商品群として購入を受け付けるための商品群情報共有装置に実行させる商品群情報共有プログラムを記憶した記憶媒体であって、
第１のユーザの端末装置から操作入力を受けて、
前記第１のユーザの端末装置から選択された複数の商品情報を第１のユーザの商品群情報として記憶する第１記憶処理と、
前記第１のユーザの商品群情報を複数のユーザの端末装置からＵＲＬを介してウェブ上で閲覧するためのＵＲＬ生成処理と、
ネットワークを介して前記ＵＲＬを複数のユーザの端末装置と共有するＵＲＬ共有処理と、
第２のユーザの端末装置から操作入力を受けて、
前記ＵＲＬを介して前記第２のユーザの端末装置に前記第１のユーザの商品群情報を表示する商品群情報表示処理と、
前記第１のユーザの商品群情報を構成する前記複数の商品情報の各々を選択せずそのまま、かつ一括購入のための合計予定額を含む前記第２のユーザの商品群情報として記憶する第２記憶処理と、
前記第２のユーザの商品群情報を前記第２のユーザの端末装置に購入可能な状態に表示する購入表示処理と
を商品群情報共有装置に実行させる商品群情報共有プログラムを記憶した記憶媒体。
【発明の詳細な説明】
【技術分野】
【０００１】
本発明は、例えば、通信ネットワークを介して電子商取引サーバに対する商品の購入の要求を受け付ける装置に関し、さらに詳しくは、他のユーザが推奨する商品群の一括購入を可能とする商品群情報共有装置、商品群情報共有方法、商品群情報共有プログラム、商品群情報共有プログラムを記憶した記憶媒体に関するものである。
【背景技術】
【０００２】
従来から、通信ネットワークを介した電子商取引（「Ｅコマース」等ともいう。）システムは、実際の店舗に出向かなくても所望の商品を購入できるため、多くのユーザに利用されてきた。商品の数や種類も豊富なため、ユーザは電子商取引システムの検索機能や推薦機能で所望の商品を抽出し、購入するか否かを検討していた。しかしながら、商品の検索結果数（ヒット件数）や推奨数が多い場合、ユーザはどの商品を購入すべきか迷って長考したり、決めきれずに購入を断念したりする問題が発生していた。特に、複数の商品を一括購入したい場合、商品を選択し切れず、不本意な買い物をしてしまうこともあった。そのため、複数の商品の一括購入においては、家族や知人等の第三者の推奨が重要な要素となっていた。
【０００３】
一方、多数の商品を販売するインターネット上のショッピングサイトからユーザの好みを反映した検索条件にて商品を検索し、検索された商品のショッピングサイトでの販売に利用されている画像等の商品情報を組み合わせて各ユーザ用の購入商品候補を示す購入チラシを提供する発想（例えば特許文献１参照。）が提案されている。さらに、購入チラシは他のユーザに対してウェブページ上に公開することもできる。
【先行技術文献】
【特許文献】
【０００４】
【特許文献１】特開２０１０−１１７７９８号公報
【発明の概要】
【発明が解決しようとする課題】
【０００５】
しかしながら、上述した従来技術は、自分の好みの検索条件を登録してユーザ専用の購入チラシを生成するために他のユーザの購入チラシを生成するための検索条件を参考にするものであり、他のユーザが推奨する複数の商品の一括購入に関する情報を入手するものではない。すなわち、他のユーザの購入チラシを生成するための検索条件を参考にしたとしても、自分が欲する商品群の一括購入に関する情報を検索結果として入手できるわけではなく、その後この検索結果から複数の商品を自分で組み合わせて一括購入しなければならない。
【０００６】
近年、ネットショッピングの機能拡充に伴い、ユーザの利用率も上昇している。さらに、ユーザの利用の仕方も、単一の商品の購入のみならず、複数の商品の一括購入が増えている。特に、複数の商品を組み合わせて一つの商品群として購入する場合（例えば、カメラのレンズと本体、自転車の本体とタイヤとサドル、ジャケットとスラックス）、どの商品の組み合わせが最適かわからないため、他のユーザが推奨する個々の商品に関する情報（例えば、商品ページに関するＵＲＬ）をその都度共有しあっていた。
【０００７】
従来のネットショッピングシステムでは、個々の商品に関する情報をユーザ同士で共有できたとしても、複数の商品に関する情報を一括で共有することはできなかった。ところが、ユーザは自分の好みに合わせて複数の商品を選択し、それらを組み合わせて商品群を一括購入する傾向にある。特に、嗜好品（例えば、カメラ、自転車、被服）においては、ユーザの趣味やこだわりが商品選択時に反映されるため、多数の商品に関する情報を個別に共有するのは手間がかかる上、情報の漏れや重複が発生してしまうことがあった。これでは、時代に合った円滑なネットショッピングの実現は困難であり、改善の余地が必要であった。
【０００８】
また、商品の購入を検討する上で、見積額はユーザにとって重要な要素であった。見積額の差に応じて商品を変更したり、想定外の見積額のため購入を見送ったりすることもあったからである。しかしながら、商品群を一括購入する費用の把握は困難であった。そのため、商品群の一括購入の実現には、合計予定額（見積額）の明示も求められていた。
【０００９】
そこで本発明の目的は、他のユーザが推奨する複数の商品に関する各々の情報を一まとめにした情報を、通信ネットワークを介して共有し、これら複数の商品を一括で購入できる商品群情報共有装置、商品群情報共有方法、商品群情報共有プログラム又は商品群情報共有プログラムを記憶した記憶媒体を提供することにある。
【課題を解決するための手段】
【００１０】
すなわち本発明は、複数のユーザの端末装置から複数の商品を商品群として購入を受け付けるための商品群情報共有装置であって、第１のユーザの端末装置から操作入力を受けて、上記第１のユーザの端末装置から選択された複数の商品情報を第１のユーザの商品群情報として記憶する第１記憶部と、上記第１のユーザの商品群情報を複数のユーザの端末装置からＵＲＬ（Uniform Resource Locator）を介してウェブ上で閲覧するためのＵＲＬ生成部と、ネットワークを介して上記ＵＲＬを複数のユーザの端末装置と共有するＵＲＬ共有部と、第２のユーザの端末装置から操作入力を受けて、上記ＵＲＬを介して上記第２のユーザの端末装置に上記第１のユーザの商品群情報を表示する商品群情報表示制御部と、上記第１のユーザの商品群情報を構成する上記複数の商品情報の各々を選択せずそのまま、かつ一括購入のための合計予定額を含む上記第２のユーザの商品群情報として記憶する第２記憶部と、上記第２のユーザの商品群情報を上記第２のユーザの端末装置に購入可能な状態に表示する購入表示制御部とを備えることを特徴とする。
【００１１】
上記ＵＲＬ生成部が、上記第２のユーザの商品群情報を複数のユーザの端末装置からウェブ上で閲覧するためのＵＲＬを生成し、上記ＵＲＬ共有部が、ソーシャルネットワークサービスのタイムライン及び電子メールの少なくともいずれかを介して上記ＵＲＬを複数のユーザの端末装置と共有することが望ましい。
【００１２】
上記第２のユーザの商品群情報を上記第２のユーザの端末装置に改良可能な状態に表示する改良表示制御部と、上記第２のユーザの商品群情報から購入不可能な商品の商品情報を更新して表示する商品情報表示制御部をさらに備えていることが望ましい。
【００１３】
また、本発明は、コンピュータによって実行され、複数のユーザの端末装置から複数の商品を商品群として購入を受け付けるための商品群情報共有方法であって、第１のユーザの端末装置から操作入力を受けて、第１記憶部が、上記第１のユーザの端末装置から選択された複数の商品情報を第１のユーザの商品群情報として記憶し、ＵＲＬ生成部が、上記第１のユーザの商品群情報を複数のユーザの端末装置からウェブ上で閲覧するためのＵＲＬを生成し、ＵＲＬ共有部が、ネットワークを介して上記ＵＲＬを複数のユーザの端末装置と共有し、第２のユーザの端末装置から操作入力を受けて、商品群情報表示制御部が、上記ＵＲＬを介して上記第２のユーザの端末装置に上記第１のユーザの商品群情報を表示し、第２記憶部が、上記第１のユーザの商品群情報を構成する前記複数の商品情報の各々を選択せずそのまま、かつ一括購入のための合計予定額を含む上記第２のユーザの商品群情報として記憶し、購入表示制御部が、上記第２のユーザの商品群情報を上記第２のユーザの端末装置に購入可能な状態に表示することを特徴とする。
【００１４】
また、本発明は、複数のユーザの端末装置から複数の商品を商品群として購入を受け付ける各処理をコンピュータに実行させるための商品群情報共有プログラムであって、第１のユーザの端末装置から操作入力を受けて、上記第１のユーザの端末装置から選択された複数の商品情報を第１のユーザの商品群情報として記憶する第１記憶処理と、上記第１のユーザの商品群情報を複数のユーザの端末装置からＵＲＬを介してウェブ上で閲覧するためのＵＲＬ生成処理と、ネットワークを介して上記ＵＲＬを複数のユーザの端末装置と共有するＵＲＬ共有処理と、第２のユーザの端末装置から操作入力を受けて、上記ＵＲＬを介して上記第２のユーザの端末装置に上記第１のユーザの商品群情報を表示する商品群情報表示処理と、上記第１のユーザの商品群情報を構成する上記複数の商品情報の各々を選択せずそのまま、かつ一括購入のための合計予定額を含む上記第２のユーザの商品群情報として記憶する第２記憶処理と、上記第２のユーザの商品群情報を上記第２のユーザの端末装置に購入可能な状態に表示する購入表示処理とを備えることを特徴とする。
【００１５】
また、本発明は、複数のユーザの端末装置から複数の商品を商品群として購入を受け付けるための商品群情報共有装置に実行させる商品群情報共有プログラムを記憶した記憶媒体であって、第１のユーザの端末装置から操作入力を受けて、上記第１のユーザの端末装置から選択された複数の商品情報を第１のユーザの商品群情報として記憶する第１記憶処理と、上記第１のユーザの商品群情報を複数のユーザの端末装置からＵＲＬを介してウェブ上で閲覧するためのＵＲＬ生成処理と、ネットワークを介して上記ＵＲＬを複数のユーザの端末装置と共有するＵＲＬ共有処理と、第２のユーザの端末装置から操作入力を受けて、上記ＵＲＬを介して上記第２のユーザの端末装置に上記第１のユーザの商品群情報を表示する商品群情報表示処理と、上記第１のユーザの商品群情報を構成する上記複数の商品情報の各々を選択せずそのまま、かつ一括購入のための合計予定額を含む上記第２のユーザの商品群情報として記憶する第２記憶処理と、上記第２のユーザの商品群情報を上記第２のユーザの端末装置に購入可能な状態に表示する購入表示処理とを商品群情報共有装置に実行させる。
【００１６】
「ユーザ」とは、端末装置を操作しネットワークを介して所定の商品の閲覧、検索、推薦又は売買を行う者を示し、国籍、性別、年齢、所住所、身分又は処遇に限定はない。「商品」とは、例えば、カメラ、自転車、被服、筆記具又は時計が該当し、その他売買が成立する物品の全てを含んでもよい。「商品群」とは、２つ以上の商品を一まとめにしたもので、例えば、一つの完成品を構成する複数の部品、一つのコーディネートやシリーズを構成する複数の完成品が該当し、『おすすめセット』、『セット商品』や『見積りＳＮＳセット』といってもよい。
【００１７】
「端末装置」とは、具体的には、所定のパーソナルコンピュータ、携帯電話、スマートフォン又はタブレットＰＣが該当し、ネットワークを介して他の端末装置又は所定のサーバ装置と所定の情報の授受を可能とする装置の全てを含んでもよい。
【００１８】
「商品群情報共有装置」とは、具体的には、所定のパーソナルコンピュータ若しくはサーバ装置又は所定のプログラムを搭載したマイコンが該当し、ネットワークを介して所定の端末装置又は所定のサーバ装置と所定の情報の授受を可能とする装置の全てを含んでもよい。
【００１９】
「操作入力」とは、具体的には、キーボード若しくはタッチパネルからのキー入力又は音声認識ソフトからの音声入力が該当し、端末装置を介して送信したユーザの要求の全てを含んでもよい。
【００２０】
「商品情報」とは、販売対象の商品に関する情報で、例えば、商品画像、商品名、メーカー名、支払額、本体価格、消費税、商品状態（例：中古、良品、新品）、個数、機能又は寸法が該当し、商品群情報として記憶できない旨の表示が含まれてよい。
【００２１】
「商品群情報」とは、２つ以上の商品を１つにまとめた商品群に関する情報で、例えば、所定のユーザの端末装置から選択された商品情報に含まれている商品画像、上記商品の各々の本体価格、消費税、支払価格及びこれらの合計価格、商品群の名称、商品群の説明文及びユーザが商品群の付帯情報としてアップロードする参考画像 が該当する。
【発明の効果】
【００２２】
本発明による商品群情報共有装置、商品群情報共有方法、商品群情報共有プログラム又このプログラムを記憶した記憶媒体は、第１のユーザ固有の情報として記憶した第１のユーザの商品群情報を、ＵＲＬによりネットワークを介して第２のユーザの端末装置と共有し、上記第１のユーザの商品群情報を第２のユーザの商品群情報として記憶して第２のユーザの端末装置から商品群を購入できることにより、複数のユーザの端末装置同士で商品群情報を簡単に共有し、所望の商品群を一括購入できる仕組みを提供することができる。すなわち、個人情報を保護しつつネットワーク上で商品群情報の共有が実現し、他のユーザが推奨する複数の商品を商品群として一括購入できるため、所望の商品群購入の手間を省き、円滑なネットショッピングを楽しむことができる。このとき、ユーザは商品群の合計予定額（見積額）も容易に確認でき、これに応じて商品群情報の生成や変更及び商品群の購入を検討することもできる。したがって、ユーザ同士で商品群を簡単に推奨し合えるため、複数の商品を検索したり選択したりする時間を省けるのみならず、商品群情報の共有及び商品群の購入を切っ掛けに、ユーザ同士のより深いコミュニケーションの提供を実現させることができる。
【００２３】
また、上記第２のユーザの商品群情報を上記第２のユーザの端末装置に改良可能な状態に表示できることにより、第１のユーザが推奨する商品群情報を第２のユーザ固有の商品群情報に改良して記憶することができる。すなわち、第１のユーザが推奨する商品群情報を参考にして、第２のユーザは自分の好みの商品群情報に調整して所望の商品群を購入できるばかりでなく、新たな第２のユーザの商品群情報として複数のユーザの端末装置に共有することができる。したがって、他のユーザから推奨された商品群情報を随時改良して所望の商品群を購入できるばかりでなく、ユーザの各々が推奨したい商品群情報を複数のユーザ間で共有することができるため、各商品群情報の比較も可能となる。
【００２４】
また、上記第２のユーザの商品群情報から購入不可能な商品の商品情報を更新して表示できることにより、第２のユーザは在庫切れや代替品の提案に関する情報を随時確認することができる。すなわち、商品群情報を構成する商品情報の管理元と連携することで、在庫切れや代替品の提案に関する情報を第２のユーザの端末装置に随時提供することができる。したがって、第２のユーザは商品群を構成する商品の各々の選択を確実に行うことができる。
【図面の簡単な説明】
【００２５】
【図１】本発明の一実施形態における全体の構成を示す図である。
【図２】全体の処理の流れを示す図である。
【図３】処理の流れの詳細を示すタイミングフローチャートである。
【図４】処理の流れの詳細を示す別のタイミングフローチャートである。
【図５】処理の流れの詳細を示す別のタイミングフローチャートである。
【図６】処理の流れの詳細を示す別のタイミングフローチャートである。
【図７】商品情報の選択画面の一例を示す図である。
【図８】商品群情報の生成画面の一例を示す図である。
【図９】商品群情報のリスト画面の一例を示す図である。
【図１０】商品群情報のウェブ閲覧画面の一例を示す図である。
【図１１】商品群情報の購入画面の一例を示す図である。
【図１２】商品群情報の購入画面の一例を示す別の図である。
【発明を実施するための形態】
【００２６】
以下、図１〜図１２を参照しつつ、本発明の一実施形態における商品群情報共有装置について説明する。まず、図１を用いて、商品群情報共有装置の全体構成を説明する。
【００２７】
図１に示すように、本発明は複数のユーザの端末装置２から複数の商品を商品群として購入を受け付けるための商品群情報共有装置１であって、第１のユーザの端末装置２１から操作入力を受けて、この第１のユーザの端末装置から選択された複数の商品情報を第１のユーザの商品群情報として記憶する第１記憶部１１ａと、この第１のユーザの商品群情報を複数のユーザの端末装置からＵＲＬを介してウェブ上で閲覧するためのＵＲＬ生成部１２と、ネットワークを介してこのＵＲＬを複数のユーザの端末装置と共有するＵＲＬ共有部１３と、第２のユーザの端末装置から操作入力を受けて、このＵＲＬを介してこの第２のユーザの端末装置にこの第１のユーザの商品群情報を表示する商品群情報表示制御部１４と、この第１のユーザの商品群情報をこの第２のユーザの商品群情報として記憶する第２記憶部１１ｂと、この第２のユーザの商品群情報をこの第２のユーザの端末装置に購入可能な状態に表示する購入表示制御部１５とを備えていてもよい。
【００２８】
商品群情報共有装置１は、第２のユーザの商品群情報を第２のユーザの端末装置に改良可能な状態に表示する改良表示制御部１６をさらに備えていてもよい。
【００２９】
商品群情報共有装置１は、第２のユーザの商品群情報から購入不可能な商品の商品情報を更新して表示する商品情報表示制御部１６をさらに備えていてもよい。
【００３０】
ここで、本発明の一実施形態における商品群情報共有装置のハードウェア及びネットワークの構成並びに各種装置やプログラムの役割及び機能を説明する。
【００３１】
商品群情報共有装置１は、複数のユーザの端末装置２及び電子商取引サーバＳと通信ネットワークＮを介して相互に通信可能な状態でそれぞれ接続されていてもよい。
【００３２】
商品群情報共有装置１、複数のユーザの端末装置２及び電子商取引サーバＳの各々は、一般的なコンピュータ装置で構成されていてもよく、これらのＣＰＵはＲＯＭにロードされたプログラムに従って各種の処理を実行してもよい。ＲＡＭには、ＣＰＵが各種処理を実行する上において必要なデータも適宜記憶されていてもよい。ＣＰＵ、ＲＯＭ、ＲＡＭは、バスを介して相互に接続されていてもよい。バスには、入出力インターフェースも接続されていてもよい。入出力インターフェースには、入力機器（例えば、キーボード、マウス、タッチパネル、音声認識ソフト若しくはこのソフトを搭載した機器）、出力機器（例えば、画面、スピーカー）、記憶機器（例えば、ハードディスクドライブ、フラッシュメモリ）、通信機器が接続されていてもよい。入出力インターフェースには、メディアドライブが接続されていてもよく、リムーバブルメディア（例えば、磁気ディスク、光ディスク、光磁気ディスク、半導体メモリ）が適宜装着され、所定の情報の書き込みや読み出しが行われてもよい。コンピュータ装置間では、通信機器を介してデータやプログラムのアップロードやダウンロードが行われたり、リムーバブルメディアを介してデータやプログラムの受け渡しが行われたりしてもよい。商品群情報共有装置１、複数のユーザの端末装置２及び電子商取引サーバＳの各々は、複数のコンピュータ装置が通信ネットワークＮを介してシステム的に構成されてもよい。商品群情報共有装置１及び電子商取引サーバＳは、コンピュータ装置単体で構成されていてもよく、例えば、電子商取引サーバに搭載された各種ハードウェアに商品群情報共有装置の各機能プログラムをインストールしてもよい。
【００３３】
通信ネットワークＮは、例えば、インターネット、イントラネット、エキストラネット、ＬＡＮ、ＣＡＴＶ通信網、ＶＰＮ、電話回線、移動体通信網、衛星通信網でもよい。通信ネットワークの全部又は一部を構成する伝送媒体は、有線（例えば、ＩＥＥＥ１３９４、ＵＳＢ、電力線搬送、電話線）や無線（例えば、ＩｒＤＡ、ブルートゥース（登録商標）、８０２．１１無線、携帯電話網、衛星回線、地上波デジタル網）でも利用可能である。
【００３４】
商品群情報共有装置１、複数のユーザの端末装置２及び電子商取引サーバＳは、所定のＯＳで起動し、ブラウザを介してインターネットページを閲覧してもよい。
【００３５】
商品群情報共有装置１は、電子商取引サーバＳに対して所定のユーザの端末装置が選択した複数の商品を、商品群として購入の注文を受け付けるためのものでもよい。電子商取引サーバＳには、商品情報が複数記憶されており、複数のユーザの端末装置２から通信ネットワークＮを介して選択された複数の商品情報を、商品群情報共有装置１が商品群情報として集約し記憶してもよい。
【００３６】
商品群情報共有装置１には、電子商取引サーバＳに記憶されている商品情報のうち、第１のユーザの端末装置２１から選択された複数の商品情報からなる第１のユーザの商品群情報を記憶する第１記憶部１１ａ、第１のユーザの端末装置２１が第２のユーザの端末装置２２に共有した第１のユーザの商品群情報を基礎とする第２のユーザの商品群情報を記憶する第２記憶部１１ｂ、第１のユーザの商品群情報を複数のユーザの端末装置からウェブ上で閲覧可能にするためのＵＲＬを生成するＵＲＬ生成部１２、このＵＲＬを通信ネットワークＮを介して複数のユーザの端末装置２と共有可能にするＵＲＬ共有部１３、このＵＲＬを介して第２のユーザの端末装置２２に第１のユーザの商品群情報を表示する商品群情報表示制御部１４、第２のユーザの商品群情報を第２のユーザの端末装置２２から購入可能な状態に表示する購入表示制御部１５、第２のユーザの商品群情報を第２のユーザの端末装置２２に改良可能な状態に表示する改良表示制御部１６、第２のユーザの商品群情報から購入不可能な商品の商品情報を更新して表示する商品情報表示制御部１７、電子商取引サーバＳ及び複数のユーザの端末装置２と所定の情報の授受を行うための通信制御部１８を搭載していてもよい。
【００３７】
第１記憶部１１ａは、第１のユーザの端末装置２１に関する所定の情報で、例えば、通信制御部１８を介して電子商取引サーバＳから抽出した複数の商品情報を少なくとも１つの商品群情報として記憶するものでもよい。第１のユーザの端末装置２１は、第１記憶部１１ａに記憶した所定の商品群情報の削除のみならず、所定の商品群情報の修正に伴う更新又は新規保存を実行してもよい。
【００３８】
第２記憶部１１ｂは、第２のユーザの端末装置２２に関する所定の情報で、例えば、第１のユーザ端末装置２１により共有されたＵＲＬを介して、商品群情報表示制御部１４により表示された第１のユーザの商品群情報を第２のユーザの商品群情報として第２記憶部１１ｂに記憶してもよい。第２のユーザの端末装置２２は、第２記憶部１１ｂに記憶した所定の商品群情報の削除のみならず、改良表示制御部１６が改良可能に表示した所定の商品群情報の修正に伴う更新又は新規保存を実行してもよい。
【００３９】
ＵＲＬ生成部１２は、第１のユーザの端末装置２１が第１記憶部１１ａに記憶した第１のユーザの商品群情報の各々と紐づき、複数のユーザの端末装置２がウェブ上で第１のユーザの商品群情報を閲覧可能にするためのＵＲＬを生成するものでもよい。ＵＲＬは、第１のユーザの商品群情報が第１記憶部１１ａに記憶されるのと同時に生成されてもよい。
【００４０】
ＵＲＬ共有部１３は、第１のユーザの端末装置２１からの操作入力を含む要求に応じて、通信制御部１８を介して、例えば、第１のユーザの端末装置２１が登録しているソーシャルネットワーキングサービス（例えば、ライン（ＬＩＮＥ（登録商標））、フェイスブック（ＦＡＣＥＢＯＯＫ（登録商標））、ツイッター（ＴＷＩＴＴＥＲ（登録商標）））のタイムラインに生成されたＵＲＬを投稿したり、電子メールの本文に生成されたＵＲＬを掲載して送信したりして、複数のユーザの端末装置２と共有するものでもよい。
【００４１】
商品群情報表示制御部１４は、第２のユーザの端末装置２２からの操作入力を含む要求に応じて、共有されたＵＲＬから通信制御部１８を介して、第１記憶部１１ａに記憶してある第１のユーザの商品群情報を第２のユーザの端末装置２２に表示するものでもよい。商品群情報表示制御部１４は、第２のユーザの端末装置２２に表示した第１のユーザの商品群情報を第２のユーザの商品群情報として第２記憶部１１ｂに記憶する処理を実行可能な状態に表示してもよい。
【００４２】
購入表示制御部１５は、商品群情報表示制御部１４により表示された後、第２記憶部１１ｂに記憶された第２のユーザの商品群情報を、第２のユーザの端末装置２２に表示して購入可能な状態に表示するものでもよい。購入可能な状態で表示される第２のユーザの商品群情報を構成する商品情報と電子商取引サーバＳに記憶されている商品情報とは紐づいて、最新な状態に更新されてもよい。
【００４３】
改良表示制御部１６は、第２記憶部１１ｂに記憶された第２のユーザの商品群情報から、例えば、商品群情報を構成する商品情報の追加や削除、商品群の名称や商品群の説明文の変更を可能な状態に表示するものでもよい。改良可能な状態に表示された第２のユーザの商品群情報を構成する商品情報と電子商取引サーバＳに記憶されている商品情報とは紐づいて、最新な状態に更新されてもよい。改良された第２のユーザの商品群情報は、新たな第２のユーザの商品群情報として第２記憶部１１ｂに保存されてもよい。商品情報の追加や削除に連動して商品の各々の本体価格、消費税及び支払価格の合計価格が自動変更されてもよい。
【００４４】
商品情報表示制御部１７は、商品群情報表示制御部１４、購入表示制御部１５又は改良表示制御部１６によって表示される第１又は第２の商品群情報を構成する商品情報と電子商取引サーバＳに記憶されている商品情報とを紐づけて、最新な状態に更新して表示するものでもよく、例えば、購入不可能な商品の商品情報を更新して表示してもよい。
【００４５】
次に、図２〜図１２を用いて、本発明の一実施形態における商品群情報共有装置を介してユーザ同士で共有された商品群の購入が行われる流れの一例を説明する。
【００４６】
図２に示すように、まず、第１のユーザの端末装置は電子商取引サーバＳから商品群情報を構成する商品情報を選択する（ステップＳ１０）。次に、商品群情報共有装置１は選択された複数の商品情報に基づいて商品群情報を生成する（ステップＳ２０）。そして、商品群情報共有装置１は生成した商品群情報に紐づくＵＲＬを他のユーザの端末装置と共有する（ステップＳ３０）。その後、他のユーザの端末装置からのアクセスに応じて、商品群情報共有装置１は商品群情報をウェブ上で閲覧可能にする（ステップＳ４０）。最後に、商品群情報共有装置１は、共有した商品群情報に基づく商品群を購入可能な状態にする（ステップＳ５０）。
【００４７】
なお、図２への記載は省略するが、他のユーザの端末装置に商品群情報を改良可能に表示してもよい（ステップＳ５０ａ）。さらに、商品群情報を構成する商品情報の各々は、電子商取引サーバＳに記憶してある商品情報と紐づいて最新の状態に更新されてもよい（ステップＳ５０ｂ）。
【００４８】
ここから、図３〜図６のタイミングローチャート及び図７〜図１２の表示画面の一例を用いて、図２に示す各ステップを含む詳細を説明する。
なお、図２に示すステップの番号（ステップＳ１０〜Ｓ５０）と図３〜図４に示すステップの番号（ステップＳ１０〜Ｓ５０）とは一致している。また、ステップＳ１０と図７、ステップＳ２０と図８、ステップＳ３０と図９、ステップＳ４０と図１０、ステップＳ５０及びＳ５０ａと図１１、ステップＳ５０ｂと図１２は、それぞれ対応している。図１の全体構成図は随時参照するものとする。
【００４９】
まず、図３のステップＳ１０及び図７に示すとおり、第１のユーザの端末装置２１は、例えば、操作入力として商品名検索することにより、電子商取引サーバＳに対して購入を希望する商品情報の表示要求を行ってもよい。電子商取引サーバＳは、第１のユーザの端末装置２１からの表示要求に対し、該当する商品情報を抽出し、この第１のユーザの端末装置に表示する出力処理を行ってもよい。第１のユーザの端末装置２１は、電子商取引サーバＳから受け取った商品情報（例えば、商品Ｃ）を画面に表示してもよい（画面Ｇ１０）。第１のユーザの端末装置２１は、表示された商品情報における商品の購入を希望する場合、商品情報の保存決定部Ｇ１０１（例えば、『カートに入れる』ボタン）から電子商取引サーバＳに対して保存要求を行ってもよい。電子商取引サーバＳは、第１のユーザの端末装置２１からの保存要求に対し、商品情報を記憶する処理を実行（例えば、データベースに保存）し、この第１のユーザの端末装置に商品の購入に関する画面を表示する出力処理を行ってもよい。（以上、ステップＳ１０）
【００５０】
なお、画面上に、電子商取引サーバＳに対して情報提供の要求をする箇所Ｇ１０２（例えば、『見積りＳＮＳについて』ボタン）があることで、商品群情報（例えば、『見積りＳＮＳ』）の生成に関する説明の提供を受けてもよい（例えば、説明用ポップアップウィンドウによる表示）。
【００５１】
次に、図３のステップＳ２０及び図８に示すとおり、第１のユーザの端末装置２１は、電子商取引サーバＳから受け取った商品の購入に関する情報を画面に表示してもよい（画面Ｇ２０）。この画面は、第１のユーザ固有のものであり、所定の端末装置を介して電子商取引サーバＳにログインしなければ表示することはできなくしてもよい。この画面には、第１のユーザの端末装置２１から選択された複数の商品情報Ｇ２０１（例えば、商品Ａ、商品Ｂ、商品Ｃ）、商品の価格に関する情報Ｇ２０２（例えば、商品の本体価格合計、消費税合計及びこれらの合計予定額）、これらの商品情報に基づいて商品群情報を生成するための情報入力部Ｇ２０３が表示されていてもよい。
なお、商品情報Ｇ２０１の各商品情報の削除要求、他の商品情報（例えば、商品Ｄ）の追加要求、商品群の付帯情報となる参考画像（例えば、商品を使用している様子のイメージ写真）のアップロードを可能にしてもよい。また、所定の商品情報には、商品群に含められない旨の情報（例えば、『こちらの商品は見積りＳＮＳセットにできません』）を表示してもよい。
【００５２】
情報入力部Ｇ２０３は、商品群情報の生成決定部Ｇ２０３ａ（例えば、『見積りＳＮＳの作成』ボタン）と、商品群の名称（例えば、『見積りＳＮＳ名』）の入力欄Ｇ２０３ｂと、商品群の説明（例えば、『おすすめコメント』）の入力欄Ｇ２０３ｃとを備えていてもよい。
【００５３】
商品群情報を生成する場合、第１のユーザの端末装置２１は、入力欄Ｇ２０３ｂに商品群の名称（例えば、『紅葉狩り必須セット』）、入力欄Ｇ２０３ｂに商品群の説明（例えば、『紅葉の赤色が綺麗に撮影できる最高のセット』））をそれぞれ入力し、生成決定部Ｇ２０３ａから電子商取引サーバＳに対して保存要求を行ってもよい。商品群情報共有装置１は、第１のユーザの端末装置２１からの保存要求に対し、生成した商品群情報を第１のユーザの商品群情報として第１記憶部１１ａ（図１参照）に記憶する処理を実行してもよい。このとき、商品群情報共有装置１のＵＲＬ生成部１２（図１参照）は、第１記憶部１１ａに記憶された第１のユーザの商品群情報に紐づくＵＲＬ（例えば、『http://www.abcdefg.com/favorite/20151030』）を生成してもよい。そして、商品群情報共有装置１は、第１のユーザの端末装置２１に作成済の商品群情報の一覧に関する画面を表示する出力処理を行ってもよい。（以上、ステップＳ２０）
【００５４】
次に、図４のステップＳ３０及び図９に示すとおり、第１のユーザの端末装置２１は、電子商取引サーバＳから受け取った商品群情報の一覧に関する情報を画面に表示してもよい（画面Ｇ３０）。この画面は、第１のユーザ固有のものであり、所定の端末装置を介して電子商取引サーバＳにログインしなければ表示することはできなくしてもよい。この画面には、商品群情報の一覧表示切換部Ｇ３０１（例えば、『作成・履歴セット表示』、『作成セット表示』、『閲覧ヒット表示』）と、記憶した商品群情報Ｇ３０２を含む商品群情報とが一覧表示されてもよい。
なお、この画面には、第１のユーザの端末装置２１から閲覧した他のユーザの端末装置で作成された商品群情報（例えば、『閲覧セット表示』）が表示されてもよい。
【００５５】
一覧表示内の商品群情報Ｇ３０２には、商品群の名称Ｇ３０２ａ（例えば、『紅葉狩り必須セット』）と、この商品群情報に紐づくＵＲＬ情報Ｇ３０２ｂと、このＵＲＬを他のユーザの端末装置に共有する処理を決定するＵＲＬ共有決定部Ｇ３０２ｃ（例えば、ソーシャルネットワークサービスへのシェアボタン『ＳＮＳでシェア』）とを備えていてもよい。
【００５６】
商品群情報を共有する場合、第１のユーザの端末装置２１は、ＵＲＬ共有決定部Ｇ３０２ｃからＵＲＬの共有を決定し、商品群情報共有装置１に対してＵＲＬの共有要求を行ってもよい。商品群情報共有装置１は、第１のユーザの端末装置２１からのＵＲＬの共有要求に対し、ＵＲＬ共有部１３（図１参照）がインターネット上に発信してもよい。
【００５７】
商品群情報共有装置１から共有されたＵＲＬに対し、第２のユーザの端末装置２２は所定のソーシャルネットワークサービスからこのＵＲＬを介して第１のユーザの商品群情報にアクセス可能としてもよい。商品群情報共有装置１は、第２のユーザの端末装置２２からのアクセスに対し、このＵＲＬに紐づく第１のユーザの商品群情報を抽出し、第２のユーザの端末装置２２に対して商品群情報表示制御部１４（図１参照）が出力処理を行ってもよい。（以上、ステップ３０）
【００５８】
次に、図４のステップＳ４０及び図１０に示すとおり、第２のユーザの端末装置２２は、商品群情報共有装置１からインターネットを介して商品群情報を画面表示してもよい（画面Ｇ４０）。この画面には、ＵＲＬ情報Ｇ４０１、商品群の名称Ｇ４０２（例えば、『紅葉狩り必須セット』）、商品群の説明Ｇ４０３（例えば、『紅葉の赤色が綺麗に撮影できる最高のセット！』）、複数の商品情報Ｇ４０４、商品の合計予定金額Ｇ４０５、商品群情報の保存決定部Ｇ４０６（例えば、『カートに入れる』ボタン）が表示されてもよい。商品群情報装置１は、第２のユーザの端末装置２２からの保存要求に対し、第２記憶部１１ｂ（図１参照）に記憶する処理を実行し、購入表示制御部１５（図１参照）がこの第２のユーザの端末装置に商品の購入に関する画面を表示する出力処理を行ってもよい。（以上、ステップ４０）
【００５９】
次に、図４のステップＳ５０及び図１１に示すとおり、第２のユーザの端末装置２２は、商品群情報共有装置１から受け取った商品の購入に関する情報を画面に表示してもよい（画面Ｇ５０）。この画面には、第１のユーザの商品群情報に含まれている複数の商品情報Ｇ５０１（例えば、商品Ａ、商品Ｂ、商品Ｃ）、商品の価格に関する情報Ｇ５０２（例えば、商品の本体価格合計、消費税合計及びこれらの合計予定額）、商品群情報に関する情報入力部Ｇ５０３、商品群の購入を決定する購入決定部Ｇ５０４（例えば、『レジに進む』ボタン）が表示されてもよい。
【００６０】
商品群を購入する場合、第２のユーザの端末装置２２は、購入決定部Ｇ５０４から電子商取引サーバＳに商品群の購入要求を実行し、これに対して電子商取引サーバＳは商品群の購入処理及び決済を行ってもよい。（以上、ステップ５０）
なお、商品群の購入要求の実行は、所定の端末装置を介して電子商取引サーバＳにログインしなければ表示することはできなくてもよい。
【００６１】
また、図５のステップＳ５０ａ及び図１１に示すとおり、第２のユーザの端末装置２２は、商品群情報共有装置１の改良表示制御部１６（図１参照）から受け取った商品群情報の改良を実行する画面を表示してもよい。この画面は、商品群の購入を実行する画面（画面Ｇ５０）と同等でもよい。すなわち、第２のユーザの端末装置２２は、商品情報Ｇ５０１の削除又は追加、商品群情報の情報入力部Ｇ５０３内の修正又は削除、商品群の付帯情報となる参考画像（例えば、商品を使用している様子のイメージ写真）のアップロード等を実行することで、新たな商品群情報の保存要求が可能となってもよい。商品群情報装置１は、第２のユーザの端末装置２２からの保存要求に対して、出力処理を行ってもよい。（以上、ステップ５０ａ）
【００６２】
また、図６のステップＳ５０ｂ及び図１２に示すとおり、商品群情報共有装置１の購入表示制御部１５が第２のユーザの端末装置２２に商品の購入に関する情報を画面に表示する前に、商品群情報共有装置１は商品情報表示制御部１７（図１参照）で電子商取引サーバＳに対して商品情報の更新要求を可能としてもよい。電子商取引サーバＳは、商品情報の更新要求に対して更新済みの商品情報を抽出し、最新の状況（例えば、商品の在庫の有無、在庫切れの商品に対する類似商品の有無）に反映する。具体的には、商品群情報を構成する商品情報のうち、在庫切れ商品については、在庫切れを通知する表示Ｇ５０１ｂ（例えば、『見積りＳＮＳセット商品と商品情報が異なっています。商品Ｂは完売しております』）が表示される。（以上、ステップ５０ｂ）
【００６３】
このように、本発明の一実施形態による商品群情報共有装置１は、第１のユーザ固有の情報として第１記憶部１１ａに記憶した第１のユーザの商品群情報を、ＵＲＬ生成部１２で生成しＵＲＬ共有部１３で共有したＵＲＬにより通信ネットワークＮを介して第２のユーザの端末装置１１ｂと商品群情報表示制御部１４が提供する画面上で共有し、この第１のユーザの商品群情報を第２のユーザの商品群情報として第２記憶部１１ｂに記憶して購入表示制御部１５が提供する画面を介してこの第２のユーザの端末装置から商品群を購入できることにより、複数のユーザの端末装置２内で商品群情報を簡単に共有し、所望の商品群を一括購入できる仕組みを提供することができる。すなわち、各ユーザの個人情報を保護しつつ通信ネットワーク上で商品群情報の共有が実現し、他のユーザが推奨する複数の商品を商品群として一括購入できるため、所望の商品群購入の手間を省き、円滑なネットショッピングを楽しむことができる。このとき、ユーザは商品群の合計予定額（見積額）も容易に確認でき、これに応じて商品群情報の生成や変更及び商品群の購入を検討することもできる。したがって、ユーザ同士で商品群を簡単に推奨し合えるため、従来の電子商取引サーバＳに対して複数の商品を検索したり選択したりする時間を省けるのみならず、商品群情報の共有及び商品群の購入を切っ掛けに、ユーザ同士のより深いコミュニケーションの提供を実現させることができる。
【００６４】
また、第２のユーザの商品群情報を第２のユーザの端末装置２２に改良表示制御部１６で改良可能な状態に表示できることにより、第１のユーザが推奨する商品群情報を第２のユーザ固有の商品群情報に改良して記憶することができる。すなわち、第１のユーザが推奨する商品群情報を参考にして、第２のユーザは自分の好みの商品群情報に調整して所望の商品群を購入できるばかりでなく、新たな第２のユーザの商品群情報として複数のユーザの端末装置２に共有することができる。したがって、他のユーザから推奨された商品群情報を随時改良して所望の商品群を購入できるばかりでなく、ユーザの各々が推奨したい商品群情報を複数のユーザ間で共有することができるため、各商品群情報の比較も可能となる。
【００６５】
また、第２のユーザの商品群情報から購入不可能な商品の商品情報を商品情報表示制御部１６で更新して表示できることにより、第２のユーザは在庫切れや代替品の提案に関する情報を随時確認することができる。すなわち、商品群情報を構成する商品情報の管理元である電子商取引サーバＳと連携することで、在庫切れや代替品の提案に関する情報を第２のユーザの端末装置２２に随時提供することができる。したがって、第２のユーザは商品群を構成する商品の各々の選択を確実に行うことができる。
【符号の説明】
【００６６】
１      商品群情報共有装置
１１ａ  第１記憶部
１１ｂ  第２記憶部
１２    ＵＲＬ生成部
１３    ＵＲＬ共有部
１４    商品群情報表示制御部
１５    購入表示制御部
１６    商品情報表示制御部
【図１】
0006307054.tif 000002
【図２】
0006307054.tif 000003
【図３】
0006307054.tif 000004
【図４】
0006307054.tif 000005
【図５】
0006307054.tif 000006
【図６】
0006307054.tif 000007
【図７】
0006307054.tif 000008
【図８】
0006307054.tif 000009
【図９】
0006307054.tif 000010
【図１０】
0006307054.tif 000011
【図１１】
0006307054.tif 000012
【図１２】
0006307054.tif 000013